(57)【要約】      （修正有）【課題】トイレットペーパーロールの切断端部がトイレットペーパーロールの外周面から分離されているため、トイレットペーパーロールからトイレットペーパーを容易に引き出すことができるトイレットペーパーロールホルダーを提供すること。【解決手段】磁石が設置されたホルダー部２と、ホルダー部２に回動自在に設置されており、ホルダー部２に設置された磁石と吸着する磁極を有する磁石が設置されたロールカバー部３とからなり、ロールカバー部３は、切断歯から前方に延びる切断歯先延伸部４を備えることを特徴とするトイレットペーパーロールホルダー１とした。【選択図】図１
2018175082.tif 000002
【特許請求の範囲】
【請求項１】
トイレットペーパーロールの外周面からトイレットペーパーロールの切断端部が分離された状態を維持することができるトイレットペーパーロールホルダーであって、
永久磁石が設置されたホルダー部と、
前記ホルダー部に回動自在に設置されており、前記ホルダー部に設置された永久磁石と吸着する磁極を有する永久磁石が設置されたロールカバー部とからなり、
前記ロールカバー部は、切断歯から前方に延びる切断歯先延伸部と、トイレットペーパー側に押さえ部材を備えることを特徴とするトイレットペーパーロールホルダー。
【請求項２】
前記ホルダー部の内側には、取り付け部材と永久磁石からなるペーパー取り付け部が設置されており、
前記取り付け部材の外側端部に永久磁石が設置されており、さらに、その外側に前記永久磁石と反発する磁極を有する永久磁石が設置されていることを特徴とする請求項１に記載のトイレットペーパーロールホルダー。
【発明の詳細な説明】
【技術分野】
【０００１】
本発明は、トイレ等で使用するトイレットペーパーロールを設置するトイレットペーパーロールホルダーに関する。さらに言えば、トイレットペーパーロールの切断端部がトイレットペーパーロールの外周面から分離されているため、使用時において、トイレットペーパーを容易に引き出すことができるトイレットペーパーロールホルダーに関する。
【背景技術】
【０００２】
トイレットペーパーロールホルダーに設置されたトイレットペーパーロールから、トイレットペーパーを必要分だけ引き出して切断すると、切断されたトイレットペーパーロール側の切断端部がトイレットペーパーロールの外周面に張り付いた状態になってしまい、切断端部の位置が分かり難くなるし、切断端部の位置を見つけることができたとしても、トイレットペーパーロールの外周面に張り付いた切断端部をわざわざ引き剥がす必要があり、この作業が非常に面倒であり、手間も掛かるという問題があった。
【０００３】
かかる問題を解決するために、特許文献１には、「既設のトイレットペーパーホルダーにそのまま取り付けることができ、トイレットペーパーの切断端部をトイレットペーパーの外周面から確実に分離することができるトイレットペーパー切断端部の分離装置を提供する（特許文献１：要約の課題）。」ことを課題として、「トイレットペーパーホルダー１或いはトイレの壁部に取り付けられる軸受け部２１と、軸受け部２１に回動自在に取り付けられた回動支持軸２４と、回動支持軸２４に固定されて一緒に回動し、上方に引き出されたトイレットペーパー１０の端部１２Ａが引っ掛けられる持ち上げ部２２と、回動支持軸２４および持ち上げ部２２が上側に回動するように付勢するばね部材２５とを備える（特許文献１：要約の解決手段）。」トイレットペーパー切断端部の分離装置（特許文献１：発明の名称）に関する技術が開示されている。
【先行技術文献】
【特許文献】
【０００４】
【特許文献１】特開２０１４−４６０５８号公報
【発明の概要】
【発明が解決しようとする課題】
【０００５】
特許文献１に係る発明であれば、確かに、次回使用分のトイレットペーパーロールの先端部をつまみ易い状態に残して切断できるが、かかる状況を達成するために、軸受け部に回動自在に取り付けられた回動支持軸、回動支持軸に固定されて一緒に回動し、上方に引き出されたトイレットペーパーの端部が引っ掛けられる持ち上げ部、回動支持軸および持ち上げ部が上側に回動するように付勢するばね部材が必要となる。このように種々の部材を必要とするため、特許文献１に係る発明においては、構造が複雑になってしまい、製造コスト面、メンテナンス等を考慮しても好ましくない。
【０００６】
本発明の目的は、トイレットペーパーロールの切断端部がトイレットペーパーロールの外周面から分離されているため、トイレットペーパーロールからトイレットペーパーを容易に引き出すことができるトイレットペーパーロールホルダーを提供することにある。
【課題を解決するための手段】
【０００７】
上記課題を解決するために、請求項１に記載した発明は、トイレットペーパーロールの外周面からトイレットペーパーロールの切断端部が分離された状態を維持することができるトイレットペーパーロールホルダーであって、永久磁石が設置されたホルダー部と、前記ホルダー部に回動自在に設置されており、前記ホルダー部に設置された永久磁石と吸着する磁極を有する永久磁石が設置されたロールカバー部とからなり、前記ロールカバー部は、切断歯から前方に延びる切断歯先延伸部と、トイレットペーパー側に押さえ部材を備えることを特徴とするトイレットペーパーロールホルダーであることを特徴とするものである。
【０００８】
請求項２に記載した発明は、請求項１に記載した発明において、前記ホルダー部の内側には、取り付け部材と永久磁石からなるペーパー取り付け部が設置されており、前記取り付け部材の外側端部に永久磁石が設置されており、さらに、その外側に前記永久磁石と反発する磁極を有する永久磁石が設置されているトイレットペーパーロールホルダーであることを特徴とするものである。
【発明の効果】
【０００９】
本発明に係るトイレットペーパーロールホルダーのロールカバー部は、切断歯から前方に延びる切断歯先延伸部を備えている。従って、トイレットペーパーロールから、使用する分のトイレットペーパーを切断した際、トイレットペーパーロールの切断端部が、トイレットペーパーロールの外周面から切断歯先延伸部のトイレットペーパーを引き出す方向の長さ分だけ、トイレットペーパーロールの外周面から分離されることになる。従って、次回使用分のトイレットペーパーロールの切断端部を引き出しやすい状態になっており、次回使用時において、トイレットペーパーを容易に引き出すことができるので、非常に使い勝手の良いトイレットペーパーロールホルダーを提供することができるようになった。
【００１０】
本発明に係るトイレットペーパーロールホルダーのロールカバー部は、トイレットペーパーロール側に押さえ部材を備えている。さらに、本発明に係るトイレットペーパーロールホルダーは、ホルダー部とホルダー部に回動自在に設置されたロールカバー部から構成されており、ホルダー部には磁石が設置されており、ロールカバー部には、ホルダー部に設置された磁石と吸着する磁極を有する磁石が設置されている。
【００１１】
トイレットペーパーロールホルダーのロールカバー部に設置した押さえ部材が、上からトイレットペーパーロールを押さえつけるため、トイレットペーパーロールの切断端部から、使用する分のトイレットペーパーを切断する際、ロールカバー部がトイレットペーパーロールに対して動くことなく安定して切断することができる。
【００１２】
ホルダー部には永久磁石が設置されており、ロールカバー部には、ホルダー部に設置された永久磁石と吸着する磁極を有する永久磁石が設置されている（ホルダー部とロールカバー部のそれぞれに設置された永久磁石は、ロールカバー部を回動させることで吸着することができる位置にある）ので、トイレットペーパーロールの使い始めにおいては、ロールカバー部は、地面に対して略水平の位置になっており、ロールカバー部の重量のほとんどが、押さえ部材を通じて、トイレットペーパーロールに掛かるようになっている。ロールカバー部にある程度の重量（２００ｇ〜２５０ｇ程度）があることで、切断時におけるトイレットペーパーロールの動きを十分に押さえられるので、トイレットペーパーロールの切断端部から、使用する分のトイレットペーパーを切断する際、ロールカバー部がトイレットペーパーロールに対して動くことなく安定して切断することができる。
【００１３】
トイレットペーパーロールが残り少なくなった際、ロールカバー部の重量がトイレットペーパーロールに掛かり難い状態になる。このような際であっても、トイレットペーパーロールは、ロールカバー部３のトイレットペーパー側に対面する位置に設置された押さえ部材５により押さえられている。そして、ホルダー部には永久磁石が設置されており、ロールカバー部には、ホルダー部に設置された永久磁石と吸着する磁極を有する永久磁石が設置されており、ロールカバー部を回動させることにより、ホルダー部に吸着することで、ロールカバー部がトイレットペーパーロールに対して動くことなく安定させることができる。
【００１４】
本発明に係るトイレットペーパーロールホルダーのホルダー部の内側には、取り付け部材と永久磁石からなるペーパー取り付け部が設置されており、ペーパー取付け部は、取り付け部材の外側端部に永久磁石が設置されており、さらに、その外側に永久磁石と反発する磁極を有する永久磁石が設置されているので、トイレットペーパーホルダーにトイレットペーパーロールを取り外すのに手間が掛からず、かつ、片手で行うことができる。
【図面の簡単な説明】
【００１５】
【図１】本実施例に係るトイレットペーパーロールホルダーの全体図である。
【図２】ペーパー取り付け部の断面図である。
【図３】トイレットペーパーロールホルダーの使用状態を説明するための側面図である。
【図４】変更例に係るトイレットペーパーロールホルダーの全体図である。
【発明を実施するための形態】
【００１６】
＜トイレットペーパーロールホルダーの構造＞
以下、本発明に係るトイレットペーパーロールホルダー１について、図１〜図３を参照しつつ詳細に説明する。図１は、本実施例に係るトイレットペーパーロールホルダー１の全体図である。図１（ａ）は、本実施例に係るトイレットペーパーロールホルダー１のロールカバー部３を開けた状態における上面図であり、図１（ｂ）は、本実施例に係るトイレットペーパーロールホルダー１の正面図である。
【００１７】
本実施例に係るトイレットペーパーロールホルダー１は、図１（ａ）、図１（ｂ）に記載したように、永久磁石が取り外し自在に設置されたホルダー部２と、ホルダー部２に対して回動自在に設置されており、ホルダー部２に取り外し自在に設置された永久磁石と吸着する磁極を有する永久磁石が設置されたロールカバー部３とから構成されている。そして、ロールカバー部３は、切断歯から前方に延びる切断歯先延伸部４とトイレットペーパー側に対面する位置に押さえ部材５を備えている。この時、ロールカバー部３は、トイレットペーパーロールから、必要な分のトイレットペーパーを安定して切断できるように、総重量が２００ｇ〜２５０ｇに調整されていることが重要である。ロールカバー部３の素材自体を重量が大きい（密度の大きな）素材にして調整すること以外にも、図１（ｂ）に記載したように、プラスティック等の軽量な素材に重石等を取り付けることで重量調整しても良い。
【００１８】
図２はペーパー取り付け部７の断面図である。図２に記載したように、ホルダー部２の内側には、永久磁石と取り付け部材６からなるペーパー取り付け部７が設置されており、ペーパー取付け部７は、取り付け部材６の外側端部に永久磁石が設置されており、さらに、その外側に該永久磁石と反発する磁極を有する永久磁石が設置されている。そして、図２に記載したように、ペーパー取り付け部７は、ストッパ構造になっており、これにより取り付け部材６が内側に向かって飛び出ないように動きが制御されている。
【００１９】
＜トイレットペーパーロールホルダーの使用状態＞
図３は、本実施例に係るトイレットペーパーロールホルダー１の使用状態を説明するための側面図である。図３（ａ）は、トイレットペーパーロールの使い始めにおける使用状態を説明するための側面図である。図３（ｂ）は、トイレットペーパーロールが残り少なくなった状態における使用状態を説明するための側面図である。
【００２０】
図３（ａ）に記載したように、トイレットペーパーロールの使い始めにおいては、トイレットペーパーロールの径が大きく、ロールカバー部３は、ロールカバー部３自体の重量がトイレットペーパーホルダーに掛かりやすい位置になっており、ロールカバー部３の重量の殆どがトイレットペーパーロールに掛かるようになっている。しかもトイレットペーパーロールは、ロールカバー部３のトイレットペーパー側に対面する位置に設置された押さえ部材５により押さえられている。そのため、トイレットペーパーロールから必要な分だけトイレットペーパーを切断する際、切断するための手の動きに伴うトイレットペーパーロールの切断端部付近の動きを十分に押さえられるので、トイレットペーパーロールの切断端部から、使用する分のトイレットペーパーを切断する際、ロールカバー部がトイレットペーパーロールに対して動くことなく安定して切断することができる。
【００２１】
トイレットペーパーロールが残り少なくなった際、図３（ｂ）に記載したように、ロールカバー部３は、ロールカバー部３の重量がトイレットペーパーロールに掛かり難くなる。しかしながら、トイレットペーパーロールは、ロールカバー部３のトイレットペーパー側に対面する位置に設置された押さえ部材５により押さえられている。本発明のポイントは、押さえ部材５がトイレットペーパーロールの残量の多い少ないに関わらず、トイレットペーパーロールを押さえることができる位置に設置されていることである。
【００２２】
ロールカバー部３のトイレットペーパー側に対面する位置に設置された押さえ部材５により押さえられていることと、ホルダー部２に設置された永久磁石と、ロールカバー部３に、ホルダー部２に設置された永久磁石と吸着する磁極を有する永久磁石が引き合うことで、ロールカバー部３に設置された永久磁石と、ホルダー部２に設置された永久磁石が吸着することで、ロールカバー部３がトイレットペーパーロールに対して動くことなく安定させることができる。従って、トイレットペーパーロールの切断端部から、使用する分のトイレットペーパーを切断する際、ロールカバー部がトイレットペーパーロールに対して動くことなく安定して切断することができる。
【００２３】
さらに、ロールカバー部３の形状（特に曲がり具合）によっては、押さえ部材５がトイレットペーパーロールを押さえることができる位置に設置されていない場合であっても、
図３に記載したように、ロールカバー部３の押さえ部材５の内側（ロールカバー部３の回動中心に近い側）に押さえ部材よりも凸部の高さが高い「予備押さえ部材」を取り付けることで、一段とトイレットペーパーロールを押さえ易くすることができるようになるので、ロールカバー部３に設置された永久磁石とホルダー部２に設置された永久磁石が吸着するまでの間、ロールカバー部３がトイレットペーパーロールに対して動くことなく安定してトイレットペーパーを切断することができる。
【００２４】
＜トイレットペーパーロールホルダーの効果＞
本発明のポイントは、トイレットペーパーロールの外周面からトイレットペーパーロールの切断端部を分離させることができるようになっていることに特徴がある。要するに、トイレットペーパーロールの切断端部を容易に掴み取ることができるので、使用時において、切断されたトイレットペーパーロール側の切断端部がトイレットペーパーロールの外周面に張り付いた状態になってしまうことが無く、容易にトイレットペーパーロールの切断端部を引き出すことができることに特徴がある。
【００２５】
本発明によれば、ロールカバー部３は切断歯から前方に延びる切断歯先延伸部４を備えている。従って、トイレットペーパーロールから、使用する分のトイレットペーパーを切断した際、トイレットペーパーロールの切断端部が、トイレットペーパーロールの外周面から切断歯先延伸部４のトイレットペーパーを引き出す方向の長さ分だけ、トイレットペーパーロールの外周面から分離されることになる。従って、次回使用分のトイレットペーパーロールの切断端部を引き出しやすい状態になっており、次回使用時において、トイレットペーパーを容易に引き出すことができるので、非常に使い勝手の良いトイレットペーパーロールホルダーを提供することができるようになった。
【００２６】
そして、本発明は、ホルダー部２とホルダー部２に回動自在に設置されたロールカバー部３とから構成されており、ホルダー部２には永久磁石が設置されており、ロールカバー部３には、ホルダー部２に設置された永久磁石と吸着する磁極を有する永久磁石が設置されている。トイレットペーパーロールの使い始めにおいては、ロールカバー部３は、ロールカバー部３自体の重量がトイレットペーパーホルダーに掛かりやすい位置になっており、ロールカバー部３の重量のほとんどがトイレットペーパーロールに掛かるようになっているので、切断時におけるロールカバー部３の動きを十分に押さえられる。従って、トイレットペーパーロールの切断端部から、使用する分のトイレットペーパーを切断する際、ロールカバー部がトイレットペーパーロールに対して動くことなく安定して切断することができる。
【００２７】
さらに、トイレットペーパーロールが残り少なくなった際、ロールカバー部は、ロールカバー部３の重量がトイレットペーパーロールに掛かり難い状態になる。このような際であっても、トイレットペーパーロールは、ロールカバー部３のトイレットペーパー側に対面する位置に設置された押さえ部材５により押さえられている。そして、ホルダー部２に設置された永久磁石と、ロールカバー部３に設置された、ホルダー部２に設置された永久磁石と吸着する磁極を有する永久磁石が吸着することで、ロールカバー部３がトイレットペーパーロールに対して動くことなく安定させることができる。
【００２８】
ホルダー部２の内側には、ストッパ構造を備えたペーパー取り付け部７が設置されており、ペーパー取付け部７には、取り付け部材６と、取り付け部材６の外側端部に設置された永久磁石、さらに、その外側に外側端部に設置された永久磁石と反発する磁極を有する永久磁石が設置されている。従って、トイレットペーパーホルダーにトイレットペーパーロールを取り外すのに手間が掛からず、かつ、片手で行うことができる。
【００２９】
＜トイレットペーパーロールホルダーの変更例＞
本発明に係るトイレットペーパーロールホルダーの構成は、上記実施形態の態様に何ら限定されるものではなく、各構成を本発明の趣旨（トイレットペーパーロールの切断端部がトイレットペーパーロールの外周面から分離されている）を逸脱しない範囲で、必要に応じて適宜変更することができる。例えば、図４に記載したように、トイレットペーパーの残量を確認（使用量を確認）することができるようにするための「覗き窓」を設置することもできる。
【産業上の利用可能性】
【００３０】
本発明に係るトイレットペーパーロールホルダーは、トイレットペーパーロールの切断端部をトイレットペーパーロールの外周面から分離させることで、トイレットペーパーロールからトイレットペーパーを容易に引き出すことができることに特徴があり、しかも、上記の如く優れた効果を奏するものであるので、トイレ等に設置するトイレットペーパーロールホルダー等の分野において好適に用いることができる。
【符号の説明】
【００３１】
１・・トイレットペーパーロールホルダー
２・・ホルダー部
３・・ロールカバー部
４・・切断歯先延伸部
５・・押さえ部材
６・・取り付け部材
７・・ペーパー取り付け部
【図１】
2018175082.tif 000003
【図２】
2018175082.tif 000004
【図３】
2018175082.tif 000005
【図４】
2018175082.tif 000006